(57)【要約】【課題】楽器本体の使用時に鍵盤蓋を楽器本体の後部に配置しスピーカの音を反射させ演奏者に音質の低下のない音を提供する事を目的とする。【解決手段】前方に配置された鍵盤と、放音方向が後方となるように配置された報音装置と、鍵盤を覆う位置から報音装置の後方で放音を前方に反射させる位置に移動可能な鍵盤蓋とを備えることにより，  報音装置から放音された音は鍵盤蓋の内側の反射面で反射されて演奏者に音質の低下をすることなく伝えることが出来る。【選択図】      図１
2004170746.tif 000002
【特許請求の範囲】
【請求項１】
前方に配置された鍵盤と、
放音方向が後方となるように配置された報音装置と、
前記鍵盤を覆う位置から前記報音装置の後方で前記放音を前方に反射させる位置に移動可能な鍵盤蓋と、
を備えた事を特徴とする鍵盤楽器。
【請求項２】
前記報音装置は、放音方向が前記後方で、且つ斜め上方となるように配置されている事を特徴とする請求項１に記載の鍵盤楽器。
【発明の詳細な説明】
【０００１】
【発明の属する技術分野】
本発明は、電子ピアノなどの鍵盤楽器に関する。
【０００２】
【従来の技術】
従来、鍵盤楽器は、持ち運びが可能な様に小型化され、例えば幅方向の長さが白鍵及び黒鍵が配列された鍵盤の長さとほぼ等しい長さとなるように構成された鍵盤楽器が商品化されている。この種の鍵盤楽器は、スピーカを鍵盤の横方向に配置する事が出来ないため、スピーカを鍵盤の後方のスペースに放音方向が上方もしくは下方となるように配置する事が行われている（例えば、特許文献１，２参照。）。
【０００３】
また、放音方向が下方となるように配置されたスピーカの放音を、板部材等で反射させて一部を後方に導き出したり、或いは放音方向が後方となるようにスピーカを取付けると共に鍵盤楽器の背面にある壁等に反射させるようにすることも考えられている（例えば、特許文献３参照。）。
【０００４】
【特許文献１】
特開平８−２６３０５１号公報
【特許文献２】
特開２００１−２２８８５９号公報
【特許文献３】
特開２０００−２３１３８５号公報
【０００５】
【発明が解決しようとする課題】
しかしながら、前記スピーカの放音方向を上方もしくは下方とした場合には、放音が演奏者に伝わらず音質の低下を招き、また、後方に放音させる場合には背面に壁が存在しないとやはり放音が演奏者に伝わらないという欠点があった。
【０００６】
本発明は、このような従来の問題点を考慮してなされたものであり、鍵盤楽器を小型化すると共に、スピーカの放音を低下させることなく演奏者に伝える鍵盤楽器を提供することを目的とする。
【０００７】
【問題を解決するための手段】
上記目的を達成するため、請求項１の発明は、前方に配置された鍵盤と、放音方向が後方となるように配置された報音装置と、前記鍵盤を覆う位置から前記報音装置の後方で前記放音を前方に反射させる位置に移動可能な鍵盤蓋と、を備えた事を特徴とする。
【０００８】
この構造では、放音方向が後方となるように配置された報音装置と、前記報音装置の後方で前記放音を前方に反射させる位置に鍵盤蓋があるため、鍵盤蓋で反射した音を演奏者に音質の低下をきたすことなく伝える事が出来る。
【０００９】
請求項２の発明は、前記報音装置は、放音方向が前記後方で、且つ斜め上方となるように配置されている事を特徴とする。
【００１０】
この構造では、スピーカを後方の斜め上方に傾斜させ配置している為、鍵盤蓋での音の反射がより効果的になる。
【００１１】
【発明の実施の形態】
以下に、本発明の実施の形態を図面を参照して説明する。
【００１２】
図１は本実施の形態による鍵盤楽器（以下、楽器本体と称呼する。）の斜視図であり、図２は図１の断面である。
【００１３】
図１に示す様に楽器本体１は全体として横長の箱状に形成されており、前板２と白鍵及び黒鍵から成る鍵盤３と、この鍵盤３の後方に配置された後板５とが側板４ａ，４ｂ間に配置されている。前記後板５は、図２の断面図及び図３の楽器本体１の背面図に示す様に、上板部５ａと下板部５ｂとから成り、上板部５ａの後方左右２ヶ所に放音孔５ｃ，５ｃが形成された形状となっている。また、上板部５ａの外側両端には凹部６，６が形成されている。この凹部６，６には鍵盤蓋１０を鍵盤３を覆う状態から図１の開いた状態に回動させる支持部材７，７が配置されているもので、この支持部材７，７の一端は鍵盤蓋１０の左右下端にそれぞれネジ１１，１１によって取付けられている。尚、後板５の上板部５ａには楽器本体１の機能を制御するスイッチ類８と選択された機能を明示するランプ類９が配置されている。
【００１４】
図２において、前記鍵盤３は底板１２の前側に配置された鍵盤シャーシ１３の上方に形成されている。また、前記後板５の下板部５ｂの内面側には突起１４が形成されており、この突起１４にクッション材１５が嵌合されている。前記凹部６，６に配置された支持部材７，７は前記側板４ａ，４ｂに取付けられた軸受部材１６，１６によって軸支されるもので、図４は側板４ｂ側の構成を示している。即ち、軸受部材１６は側板４ｂの窪み部２０に位置決めされネジ２１によって固定され、前記支持部材７に固定された軸部材１８が前記軸受部材１６に回動可能に支持されている。
【００１５】
図２、図３に戻り、打鍵された音を放音する報音装置であるスピーカ１７は底板１２に設けられたスピーカ固定部材２２のスピーカ取付部５ｄにネジ等（図示せず）で放音方向が後方斜め上向きとなるように取付けられているもので、前記後板５の上板部５ａの前記放音孔５ｃから放音される様に図３の破線で示される位置に２ヶ所設けられている。
【００１６】
上記の構成において、楽器本体１を使用しない時には図５に示す様に鍵盤蓋１０が鍵盤３を覆う様にして閉じておく。楽器本体１を使用する際には鍵盤蓋１０を上方に回動させる。これにより前記鍵盤蓋１０は前記支持部材７，７の前記軸部材１８，１８を軸に回動し、図２に示す様に前記楽器本体１の後部上側に傾斜し、前記支持部材７，７の端面が前記クッション材１５，１５に当接する事により位置決め保持される。この状態で鍵盤３を演奏すると前記スピーカ１７から放音された音は図１及び図２の矢印Ｘで示す様に鍵盤蓋１０の内側の反射面１９で反射されて演奏者の位置に伝わり、演奏者は音質の低下のない音を聴くことが出来る。
【００１７】
尚、本発明は実施の形態例に限定されるものではなく、本発明の趣旨を逸脱しない範囲で適宜変更可能である。例えば、鍵盤蓋１０と支持部材７は一体でも良く、また、軸受部材１６，１６は側板４ａ，４ｂに固定としたが、底板１２に部材を介して固定し鍵盤蓋１０が鍵盤３を覆う位置と楽器本体１の後部に幾分傾斜する位置に移動する範囲であれば良い。
【００１８】
【発明の効果】
以上のように、本発明に依れば、楽器本体の後部に開いた鍵盤蓋を音の反射に利用する事により音質の低下のない音を演奏者に聞かせる事ができる効果を有する。
【図面の簡単な説明】
【図１】実施の形態の楽器本体の斜視図である。
【図２】実施の形態の鍵盤蓋を開いた状態の断面図である。
【図３】実施の形態の楽器本体の背面図である。
【図４】実施の形態の軸受部材の取付け部の部分断面図である。
【図５】実施の形態の鍵盤蓋を閉じた状態の断面図である。
【符号の説明】
１          楽器本体
２          前板
３          鍵盤
４ａ，４ｂ  側板
５          後板
５ａ        上板部
５ｂ        下板部
５ｃ        放音孔
５ｄ        スピーカ取付部
６          凹部
７          支持部材
８          スイッチ類
９          ランプ類
１０          鍵盤蓋
１１          ネジ
１２          底板
１３          鍵盤シャーシ
１４          突起
１５          クッション材
１６          軸受部材
１７          スピーカ
１８          軸部材
１９          反射面
２２          スピーカ固定部材
【図１】
2004170746.tif 000003
【図２】
2004170746.tif 000004
【図３】
2004170746.tif 000005
【図４】
2004170746.tif 000006
【図５】
2004170746.tif 000007